(57)【要約】【課題】湿度センサーで切り替えて屋外の空気を給気せず、検出した目標回転数より高い回転数で室内の空気を屋外へ排出する。【解決手段】湿度センサー１４によって室内の湿度状況を識別し、所定の風量を確保しながら給排風量のバランスをも保つ給排気運転と、強制排気運転とを自動で切り替える運転決定手段２６を備え、強制換気運転を選択した場合に、給気ダンパ１２を全閉状態、排気ダンパ１３を全開として、排気送風経路回転数検出手段２５とで検出した回転数よりも高い回転数を目標回転数とし、屋外の空気を給気送風経路６から給気することなく室内の空気を前記排気送風経路から屋外へ排出する。【選択図】図１
2014059096.tif 000002
【特許請求の範囲】
【請求項１】
本体の一側面に外気吸込口と室内空気排気口と、前記側面とは異なる面に外気給気口と室内空気吸込口と、前記本体の内部には屋外からダクトを介して導入された外気が室内に供給される給気送風経路と前記給気送風経路の開口面積を調整する電動機を備えた給気ダンパと、前記室内空気吸込口から前記室内の空気を前記屋外に強制的に排気する排気送風経路と前記排気送風経路の開口面積を調整する電動機を備えた排気ダンパと、前記給気送風経路と前記排気送風経路はそれぞれの風路に設けている羽根を１つのＤＣモータの両側に有し、前記給気送風経路と前記排気送風経路とが交差する位置に前記室内空気と前記外気とが熱交換される熱交換素子部とを有し、室内空気吸込口近傍に配置して室内から屋外へ排気する空気の湿度を検出する湿度センサーの信号を識別し、室内の湿度が高くならないように給排気運転から強制排気運転へ切り替えることを決定する運転決定手段を有し、前記運転決定手段からの信号に応じて、前記ＤＣモータの駆動、および前記給気ダンパ、前記排気ダンパを駆動する制御手段とを備えた構成であって、制御手段は、前記運転決定手段が給排気運転を選択した場合、前記排気ダンパを全閉にして前記給気ダンパを全開状態としたときの前記ＤＣモータの電流および回転数の関係から前記給気送風経路のダクト圧損を検出する給気送風経路回転数検出手段と、給気ダンパを全閉にして排気ダンパを全開状態としたときの前記ＤＣモータの電流および回転数の関係から前記排気送風経路のダクト圧損を検出する排気送風経路回転数検出手段とで検出した回転数を比較演算し、検出した高い方の回転数を目標回転数として低い方の回転数を検出した送風経路に接続されたダンパの角度を調整し、前記熱交換素子部で前記給気送風経路と前記排気送風経路と熱交換をさせて換気を行い、また、前記運転決定手段が強制排気運転を選択した場合、前記給気ダンパを全閉状態、前記排気ダンパを全開とするとともに、前記排気送風経路回転数検出手段とで検出した回転数よりも高い回転数を目標回転数とし、屋外の空気を給気送風経路から給気することなく室内の空気を前記排気送風経路から屋外へ排出することを特徴とした給排気型換気装置。
【請求項２】
運転決定手段は、所定の湿度以下を検出した場合は給排気運転を選択し、所定の湿度以上を検出した場合は強制排気運転を選択することを特徴とする請求項１に記載の給排気型換気装置。
【請求項３】
制御手段は、運転決定手段が給排気運転を選択した場合、給気送風経路回転数検出手段と排気送風経路回転数検出手段とで検出した回転数結果のうち、高い方の回転数を検出した送風経路に接続されたダンパを全開状態とすることを特徴とする請求項１または２に記載の給排気型換気装置。
【請求項４】
制御手段は、電源投入時に給気送風経路回転数検出手段と排気送風経路回転数検出手段とで検出した結果を比較演算することを特徴とする請求項１〜３のいずれか一つに記載の給排気型換気装置。
【請求項５】
湿度設定手段を備え、湿度設定を他段階に切り替え変更できることを特徴とする請求項１に記載の給排気型換気装置。
【発明の詳細な説明】
【技術分野】
【０００１】
本発明は、１つのＤＣモータで同時に給気と排気を行う場合に、所定の風量を保持しながら給排風量のバランスをも保つ運転モードと、湿度に応じた強制排気運転モードとを切り替えることができる給排気型換気装置に関する。
【背景技術】
【０００２】
従来技術について図７を参照しながら説明する。従来、この種の給排気型換気装置は、本体１００内部の給気送風経路に給気用のファンを具備したＤＣモータ１０１と、排気送風経路に排気用のファンを具備したＤＣモータ１０２と、各々の給気送風経路と排気送風経路が交差する位置に熱交換器１０３を有し、ＤＣモータ１０１とＤＣモータ１０２各々の駆動電圧や回転数を独立制御可能な制御装置１０４を備えた給排気型換気装置が知られていた（例えば、特許文献１参照）。
【先行技術文献】
【特許文献】
【０００３】
【特許文献１】特開２０１０−１９０５２４号公報
【発明の概要】
【発明が解決しようとする課題】
【０００４】
しかしながら、従来のこの種の給排気型換気装置では、本体内部に給気用のＤＣモータとファンに加えて排気用のＤＣモータとファンを備え、各々のＤＣモータで給気送風経路と排気送風経路各々の圧損を検出しながら風量を制御すれば給排ともに所定の風量を保つことができるが、２つのＤＣモータとファンを具備しなければ、本体の容積が大きくなり本体設置の場所が制限されるとともに、２つのＤＣモータを駆動しなければならないために消費電力が増加するという課題があった。
【０００５】
また、機器の小型化を実現するために、一つのＤＣモータの両軸に給気用のファンと排気用のファンを有した給排型換気装置も知られているが、このような構成の場合、施工性を高めるために製品の一側面に屋外へ接続するための給気ダクトと排気ダクトを配置するのが一般的である。これにより、製品内部の構造として一側面側へ２つの送風経路を導入しなればならず、熱交換器や２つのファンが接続されたＤＣモータの配置自由度がなくなり、結果的に給気送風経路と排気送風経路各々の機内圧損を１：１の均一状態に保つことが困難であった。実施工においては機内圧損に加えて、外部へ接続するダクト圧損も加味され、給気用のファンと排気用のファンにかかる圧力バランスが変化し、風量不足、風量過多、給気と排気の風量バランスが不均一になるという課題があった。
【０００６】
また、顕熱交換素子の場合は熱の交換はできるものの湿度の交換ができない。したがって屋外の高湿度空気を給気しているときには室内湿度も高くなってしまうことがあった。
【０００７】
そこで本発明は、前記の問題を解決し、１つのＤＣモータの両側に給気用ファンと排気用ファンを備え、給気用送風経路および排気用送風経路の各々の圧損をダンパにて調整し、所定の風量を保持するとともに給排気風量のバランスを均一に制御可能な給排気型換気装置を安価な構成にて実現し、屋外からの給気による室内湿度の上昇を防ぐことができる給排気型換気装置を提供することを目的とする。
【課題を解決するための手段】
【０００８】
そして、これらの課題を解決するために、本発明は、本体の一側面に外気吸込口と室内空気排気口と、前記側面とは異なる面に外気給気口と室内空気吸込口と、前記本体の内部には屋外からダクトを介して導入された外気が室内に供給される給気送風経路と前記給気送風経路の開口面積を調整する電動機を備えた給気ダンパと、前記室内空気吸込口から前記室内の空気を前記屋外に強制的に排気する排気送風経路と前記排気送風経路の開口面積を調整する電動機を備えた排気ダンパと、前記給気送風経路と前記排気送風経路はそれぞれの風路に設けている羽根を１つのＤＣモータの両側に有し、前記給気送風経路と前記排気送風経路とが交差する位置に前記室内空気と前記外気とが熱交換される熱交換素子部とを有し、室内空気吸込口近傍に配置して室内から屋外へ排気する空気の湿度を検出する湿度センサーの信号を識別し、室内の湿度が高くならないように給排気運転から強制排気運転へ切り替えることを決定する運転決定手段を有し、前記運転決定手段からの信号に応じて、前記ＤＣモータの駆動、および前記給気ダンパ、前記排気ダンパを駆動する制御手段とを備えた構成であって、制御手段は、前記運転決定手段が給排気運転を選択した場合、前記排気ダンパを全閉にして前記給気ダンパを全開状態としたときの前記ＤＣモータの電流および回転数の関係から前記給気送風経路のダクト圧損を検出する給気送風経路回転数検出手段と、給気ダンパを全閉にして排気ダンパを全開状態としたときの前記ＤＣモータの電流および回転数の関係から前記排気送風経路のダクト圧損を検出する排気送風経路回転数検出手段とで検出した回転数を比較演算し、検出した高い方の回転数を目標回転数として低い方の回転数を検出した送風経路に接続されたダンパの角度を調整し、前記熱交換素子部で前記給気送風経路と前記排気送風経路と熱交換をさせて換気を行い、また、前記運転決定手段が強制排気運転を選択した場合、前記給気ダンパを全閉状態、前記排気ダンパを全開とするとともに、前記排気送風経路回転数検出手段とで検出した回転数よりも高い回転数を目標回転数とし、屋外の空気を給気送風経路から給気することなく室内の空気を前記排気送風経路から屋外へ排出することを特徴とするものである。
【０００９】
また、運転決定手段は、所定の湿度以下を検出した場合は給排気運転を選択し、所定の湿度以上を検出した場合は強制排気運転を選択することを特徴とするものである。
【００１０】
また、制御手段は、運転決定手段が給排気運転を選択した場合、給気送風経路回転数検出手段と排気送風経路回転数検出手段とで検出した回転数結果のうち、高い方の回転数を検出した送風経路に接続されたダンパを全開状態とすることを特徴とするものである。
【００１１】
また、制御手段は、電源投入時に給気送風経路回転数検出手段と排気送風経路回転数検出手段とで検出した結果を比較演算することを特徴とするものである。
【００１２】
また、湿度設定手段を備え、湿度設定を他段階に切り替え変更できることを特徴とするものである。
【発明の効果】
【００１３】
以上のように、本願発明によれば、１つのＤＣモータの両側に給気用ファンと排気用ファンを備え、給気用送風経路および排気用送風経路の各々の圧損をダンパにて調整し、所定の風量を保持するとともに給排気風量のバランスを均一に制御可能な給排気型換気装置を安価な構成にて実現し、屋外からの給気による室内湿度の上昇を防ぐことができる給排気型換気装置を提供できる。
【図面の簡単な説明】
【００１４】
【図１】本発明の実施の形態１の構成図
【図２】同実施の形態１の制御回路のブロック図
【図３】同実施の形態１の制御フローチャートを示す図
【図４】同実施の形態１のＮ１＞Ｎ２時の動作を示す図（（ａ）電流と回転数の特性を示す図、（ｂ）排気ダンパ角度調整を示す図、（ｃ）風量バランス制御の動作説明図）
【図５】同実施の形態１のＮ１＜Ｎ２時の動作を示す図（（ａ）電流と回転数の特性を示す図、（ｂ）給気ダンパ角度調整を示す図、（ｃ）風量バランス制御の動作説明図）
【図６】同実施の形態２の制御回路を示す図（（ａ）ブロック図、（ｂ）湿度設定手段の外観を示す図）
【図７】従来技術の構成図
【発明を実施するための形態】
【００１５】
本発明の請求項１記載の給排気型換気装置は、本体の一側面に外気吸込口と室内空気排気口と、前記側面とは異なる面に外気給気口と室内空気吸込口と、前記本体の内部には屋外からダクトを介して導入された外気が室内に供給される給気送風経路と前記給気送風経路の開口面積を調整する電動機を備えた給気ダンパと、前記室内空気吸込口から前記室内の空気を前記屋外に強制的に排気する排気送風経路と前記排気送風経路の開口面積を調整する電動機を備えた排気ダンパと、前記給気送風経路と前記排気送風経路はそれぞれの風路に設けている羽根を１つのＤＣモータの両側に有し、前記給気送風経路と前記排気送風経路とが交差する位置に前記室内空気と前記外気とが熱交換される熱交換素子部とを有し、室内空気吸込口近傍に配置して室内から屋外へ排気する空気の湿度を検出する湿度センサーの信号を識別し、室内の湿度が高くならないように給排気運転から強制排気運転へ切り替えることを決定する運転決定手段を有し、前記運転決定手段からの信号に応じて、前記ＤＣモータの駆動、および前記給気ダンパ、前記排気ダンパを駆動する制御手段とを備えた構成であって、前記制御手段は、前記運転決定手段が給排気運転を選択した場合、前記排気ダンパを全閉にして前記給気ダンパを全開状態としたときの前記ＤＣモータの電流および回転数の関係から前記給気送風経路のダクト圧損を検出する給気送風経路回転数検出手段と、給気ダンパを全閉にして排気ダンパを全開状態としたときの前記ＤＣモータの電流および回転数の関係から前記排気送風経路のダクト圧損を検出する排気送風経路回転数検出手段とで検出した回転数を比較演算し、検出した高い方の回転数を目標回転数として低い方の回転数を検出した送風経路に接続されたダンパの角度を調整し、前記熱交換素子部で前記給気送風経路と前記排気送風経路と熱交換をさせて換気を行い、また、前記運転決定手段が強制排気運転を選択した場合、前記給気ダンパを全閉状態、前記排気ダンパを全開とするとともに、前記排気送風経路回転数検出手段とで検出した回転数よりも高い回転数を目標回転数とし、屋外の空気を給気送風経路から給気することなく室内の空気を前記排気送風経路から屋外へ排出するものである。これにより、給排気運転を選択した場合は、設置現場毎において給排気送風経路のダクト圧損差が生じた場合においても、排気ダンパを全閉にしている場合は給気ダンパを全開にして排気送風経路の圧損の影響を受けない状態を作り出し、純粋な給気送風経路の実施工圧損のみをＤＣモータの電流と回転数の関係から算出することができ、また逆の場合においても、給気ダンパを全閉にしている場合は排気ダンパを全開にして、給気送風経路の圧損の影響を受けない状態を作り出し、純粋な排気送付経路の実施工圧損のみをＤＣモータの電流と回転数の関係から算出し、圧損の低い方のダンパー角度を調整することによって、給気送風経路および排気送風経路双方の圧損差を無くすことができるという効果を奏する。
【００１６】
また、運転決定手段が強制排気運転を選択した場合は、湿度センサーの信号を識別して室内の湿度が高くならないように給排気運転から強制排気運転へ切り替えること決定して、制御手段は、給気ダンパを全閉状態、排気ダンパを全開とするとともに、排気送風経路回転数検出手段とで検出した回転数よりも高い回転数を目標回転数とし、屋外の空気を給気送風経路から給気することなく室内の空気を前記排気送風経路から屋外へ排出することとなり、屋外の湿度の高い空気の給気を停止して、室内の空気を屋外へ排出することができるので、屋外からの給気による室内湿度の上昇を防ぐことができるという効果を奏する。
【００１７】
また、請求項２記載の給排気型換気装置における運転決定手段は、所定の湿度以下を検出した場合は給排気運転を選択し、所定の湿度以上を検出した場合は強制排気運転を選択するものである。これにより、使用者が機器の煩わしい運転切り替え操作を行うことなく室内湿度を常に所定値以下に保つことができるという効果を奏する。
【００１８】
また、請求項３記載の給排気型換気装置における制御手段は、運転決定手段が給排気運転を選択した場合、給気送風経路回転数検出手段と排気送風経路回転数検出手段とで検出した回転数結果のうち、高い方の回転数を検出した送風経路に接続されたダンパを全開状態とするものである。これにより、これにより、実施工圧損の低い方のダンパのみ開口面積を調整することで、ダンパを閉じることによって生じるＤＣモータのエネルギーロスを極力低減することができるという効果を奏する。
【００１９】
また、請求項４記載の給排気型換気装置における制御手段は、電源投入時に給気送風経路回転数検出手段と排気送風経路回転数検出手段とで検出した結果を比較演算するものである。これにより、通常使用時においては給気送風経路ならびに排気送付経路の開口面積を調整するために双方のダンパを全閉状態にする必要はなく、ダンパ全閉時に発生する騒音による違和感を使用者に与えなくすることができるという効果を奏する。
【００２０】
また、請求項５記載の給排気型換気装置は、湿度設定手段を備え、湿度設定を他段階に切り替え変更できるものである。これにより、季節や間取り、使用者の好みに合わせた湿度設定を任意に選択できるという効果を奏する。
【００２１】
以下、本発明について図面を参照しながら説明する。
【００２２】
（実施の形態１）
本発明の実施の形態１の給排気型換気装置の構成について、図１を参照しながら構成について説明する。図１に示すように給排気型換気装置は、建物内の屋根裏空間または、１階天井裏空間、もしくは側面壁に設置される。
【００２３】
本体１は高さ方向が３辺の内で最も低い直方体の形状をしており、天井面に対し平行に設置されている。換気装置の本体１の短手方向の片側側面には外気吸込口２と室内空気排気口３を有し、それぞれ約直径１００ｍｍのダクト（図示せず）が接続できる形状となっており、外気吸込口２と室内空気排気口３に接続したダクトは建物外壁面まで引き回して建物外の外気と連通することとなる。
【００２４】
本体１の室内に接している面には室内空気吸込口４を有し、外気吸込口２と室内空気排気口３を有する片側側面の対面には外気給気口５を有し、同様に約直径１００ｍｍ（図示せず）のダクトが接続できる形状となっており、外気給気口５に接続したダクトは複数本の小口径ダクト（図示せず）に分岐され、各居室の天井面と連通されて室内へ外気を給気する。なお、外気給気口５はいずれ複数の小口径ダクトに分岐させるため、給排気型換気装置の本体１の側面の外気給気口５を小口径のダクトが複数本接続できる形状とすることにより、ダクトを分岐させる手間を省くこともできる。また、ここで室内に接している面には室内空気吸込口４を記載したがこれに限定するものではなく、例えば外気給気口５と同一面に配置し、ダクト接続して離れた位置にある部屋の空気を吸い込む構成とすることもできる。
【００２５】
本体１の内部には屋外からダクトを介して導入された外気が室内に供給される給気送風経路６と、室内空気吸込口４から室内の空気を屋外に強制的に排気する排気送風経路７を有しており、給気送風経路６と排気送風経路７はそれぞれの風路に設けているシロッコ型の給気ファン８と排気ファン９を１つのＤＣモータ１０を挟んで回転軸方向に両側に有している。なお、給気送風経路６と排気送風経路７とが交差する位置に室内空気と外気とが熱交換される熱交換素子１１を有しており、熱交換素子１１は室内からの排気空気の熱を回収して屋外からの給気空気に与える機能を有している。また、室内空気吸込口４近傍に湿度センサー１４を備え、室内の湿度を検出する機能も有している。ここで、ＤＣモータ１０を駆動すると、給気経路としては、外気吸込口２から吸込み、給気送風経路６を通過し、外気給気口５に接続したダクトを通じて室内へ給気される。逆に、排気経路としては、室内空気吸込口４から吸込み、排気送風経路７を通過し、室内空気排気口３に接続したダクトを通じて屋外へ排気される。
【００２６】
外気吸込口２には電動機と軸で連結された給気ダンパ１２を有し、外気吸込口２の開口面積を自由に調整可能である。また同様に、室内空気排気口３には電動機と軸で連結された排気ダンパ１３を有し、室内空気排気口３の開口面積を自由に調整可能である。ここで電動機とは、例えばステッピングモータなどが挙げられ、ステップ数制御が可能となり、細かく開口面積を設定調整することができる。
【００２７】
次に図２に制御回路のブロック図を示す。商用電源１５にはダイオードブリッジや電解コンデンサからなる整流平滑回路１６が接続され、その整流平滑された電圧をＦＥＴなどのスイッチング素子１７やスイッチングトランス１８を介して直流電圧を降下させ、ＤＣモータ１０の印加電圧、例えばＤＣ３０Ｖを形成する。ＤＣモータ１０には、Ｕ，Ｖ，Ｗ相の電圧印加を制御するためのドライブＩＣなどから構成されるＤＣモータ駆動部２３やローターなどの回転子（図示せず）の位置を検出するための位置検出センサであるホール素子１９で構成されている。ここでＤＣモータ１０の印加電圧をスイッチングトランス１８の後段に接続された低圧ＤＣ３０Ｖとしたがこれに限定するものではなく、例えば商用電源１５を直接整流平滑した高圧ＤＣ１４１やＤＣ２８２Ｖで駆動することもできる。
【００２８】
制御手段２０（図示せず）はＣＰＵ２１で構成され、ＤＣモータ１０の印加電圧からレギュレータ２２で電圧降下させ形成した５Ｖもしくは３Ｖで駆動している。
【００２９】
次に、ＣＰＵ２１の役割について説明する。ＣＰＵ２１は、パルスもしくはアナログ信号を形成してＤＣモータ駆動部２３へ信号を伝達し、ＤＣモータ１０は速度制御や停止を実行する。また、ＣＰＵ２１には、ダクト長０ｍ〜３０ｍの範囲における所定の風量、例えば１００ｍ３／ｈを保持するために必要なＤＣモータ１０の回転数と電流の関係式が、給気送風経路６と排気送風経路７各々に対してあらかじめテーブルデータとしてインプット記憶されている。ここで、ダクト長を０、５、１０ｍと５ｍ毎にインプットしても良いが、これに限定するものではなく、更に細分化、例えば１ｍ毎にテーブルデータを持つことによって、風量制御精度を高める方式を採用することもできる。また、本体１の機体内圧損が給気および排気ともに１：１の均一な関係であれば、一つの回転数と電流の値を記憶しておけば良いが、実際は本体１の寸法規制や熱交換素子１１の大きさ、配置場所などにより、機体内圧損は均一とならない場合がほとんどである。よって、給気送風経路６と排気送風経路７各々に対してテーブルデータをインプット記憶する必要がある。また、ホール素子１９の信号を検出し、ＤＣモータ１０のＵ，Ｖ，Ｗ相の共通ラインに接続された抵抗器などの両端電圧を検出することでＤＣモータ１０の回転数や電流を検出する給気送風経路回転数検出手段２４および排気送風経路回転数検出手段２５からの信号を受信し、双方の回転数の比較演算処理を行う。また、給気ダンパ１２と排気ダンパ１３の電動機を駆動し、各ダンパの開閉角度を調整制御する。
【００３０】
湿度センサー１４は室内空気吸込口４よりも少し奥まった位置で且つ排気送風経路７に配置している。この配置の理由としては、一般的な湿度センサー１４は、抵抗変化タイプや静電容量変化タイプなどが挙げられる。これらは共に直接水や洗剤、屋外の粉塵が付着すると湿度センサー１４内部の素子が劣化、破壊する恐れがある。また給気送風経路６に配置した場合、入浴時にシャワーを使用した際など室内の湿度上昇を検出できない。排気送風経路７に配置した場合は、給排気運転をしているので屋外から高湿空気が流入したとしても室内で循環し、湿度変化を認識できる。
【００３１】
運転決定手段２６は、コンパレーターなどの比較演算器などで構成され、あらかじめ設定された湿度に相当する電圧閾値と、常時監視している湿度センサー１４の出力電圧値とを比較し、０Ｖもしくは５Ｖの電圧情報をＣＰＵ２１へ伝達する。これら後述するＣＰＵ２１の動作については、ＣＰＵ２１内部のカウンターやＲＡＭ、ＲＯＭが共同するプログラムの形態で実施される。
【００３２】
次に、給排気運転と強制排気運転の切り替えフローおよび、給排気運転時における給排風量バランスを保つ動作フローについて図３に示すフローチャート、および図４（ａ）、図５（ａ）に示す電流と回転数の特性を示す図を用いて説明する。本フローは、本体１にダクトが接続された後の試運転時に実行される。はじめに電源が投入された場合、ＳＴＥＰ１に示すようにＣＰＵ２１は給気ダンパ１２および排気ダンパ１３を全開状態とし、各々のダンパ位置のイニシャライズを行う。
【００３３】
次に、ＳＴＥＰ２に示す給気送風経路回転数検出手段２４でのダクト圧損検出方法について説明する。まず給気ダンパ１２を全開状態に保持したまま、排気ダンパ１３を全閉状態する。それら前述したＣＰＵ２１へあらかじめ記憶されている給気送風経路６における電流と回転数の関係式に合致するようにＤＣモータ１０を制御することにより、一つの回転数Ｎ１を得ることができる。この回転数Ｎ１は給気送風経路６に接続された実施工ダクト長において、所定の風量、例えば１００ｍ３／ｈを保持するために必要な回転数情報である。
【００３４】
次に、ＳＴＥＰ３に示す排気送風経路回転数検出手段２５でのダクト圧損検出方法について説明する。まず、排気ダンパ１３を全開状態に保持したまま、給気ダンパ１２を全閉状態とする。それら前述したＣＰＵ２１へあらかじめ記憶されている排気送風経路７における電流と回転数の関係式に合致するようにＤＣモータ１０を制御することにより、一つの回転数Ｎ２を得ることができる。この回転数Ｎ２は排気送風経路７に接続された実施工ダクト長において、所定の風量、例えば１００ｍ３／ｈを保持するために必要な回転数情報である。
【００３５】
次に、ＳＴＥＰ４に示す運転決定手段２６の動作について説明する。室内湿度があらかじめ設定された湿度、例えば７０％よりも低い場合は給排気運転を選択し、逆に検知した湿度が７０％よりも高い場合は強制排気運転を選択する。強制排気運転選択時は、まず給気ダンパ１２を全閉状態、排気ダンパ１３を全開状態とし、排気送風経路７のみを形成する。室内に滞留した湿気を早急に屋外へ排出し快適空間とするために、前述した排気送風経路７に接続された実施工ダクト長における所定の風量を確保するために必要な目標回転数Ｎ２よりも高い目標回転数Ｎ３にてＤＣモータ１０を駆動する。この目標回転数Ｎ３は、例えば１５０ｍ３／ｈ相当とあらかじめＣＰＵ２１内部へ記憶していても良いが、これに限定するものではなく、例えばＮ２の２０％増しの風量などとすることもできる。強制排気運転中は常に湿度センサー１４の信号を監視し、検知湿度が設定湿度を下回った場合は、強制排気運転から給排気運転へ切り替え運転を行う。
【００３６】
次に、給排気運転の動作について、ＳＴＥＰ５に示す比較演算方法、風量制御方法を用いて説明する。
【００３７】
Ｎ１＞Ｎ２の場合、排気送風経路７の実施工ダクト長が給気送風経路６の実施工ダクト長よりも短いこと、つまりは圧損が低いことを示しているので、高い圧損の送風経路に接続されている給気ダンパ１２は全閉状態を保持したままで、低い圧損の送風経路に接続されている排気ダンパ１３の角度制御を行う。このときの目標回転数は、給気送風経路６において決定算出したＤＣモータ１０の回転数Ｎ１となり、ＣＰＵ２１へあらかじめ記憶されている排気送風経路７における電流と回転数の関係式に合致するようにＤＣモータ１０を制御し、目標回転数Ｎ１になるまで排気ダンパ１３のダンパ角度を徐々に閉じていく。
【００３８】
このときの排気ダンパ１３の角度調整状態を図４（ｂ）に示しているが、排気送風経路７における動作回転数がＮ１となったときの排気ダンパ１３の角度θ１を記憶し、図４（ｃ）に示すように給気ダンパ１２を全閉状態から全開状態とし、給気送風経路６および排気送風経路７の実施工圧損を均一に保持した状態で、ＤＣモータ１０を回転数Ｎ１で駆動することにより給気送風経路６および排気送風経路７ともに所定の風量１００ｍ３／ｈを確保することができる。
【００３９】
次にＮ１＜Ｎ２の場合、給気送風経路６の実施工ダクト長が排気送風経路７の実施工ダクト長よりも短いこと、つまりは圧損が低いことを示しているので、高い圧損の送風経路に接続されている排気ダンパ１３は全閉状態を保持したままで、低い圧損の送風経路に接続されている給気ダンパ１２の角度制御を行う。このときの目標回転数は、排気送風経路７において決定算出したＤＣモータ１０の回転数Ｎ２となり、ＣＰＵ２１へあらかじめ記憶されている給気送風経路６における電流と回転数の関係式に合致するようにＤＣモータ１０を制御し、目標回転数Ｎ２になるまで排気ダンパ１３のダンパ角度を徐々に閉じていく。このときの排気ダンパ１３の角度調整状態を図５（ｂ）に示しているが、給気送風経路６における動作回転数がＮ２となったときの給気ダンパ１２の角度θ２を記憶し、図５（ｃ）に示すように排気ダンパ１３を全閉状態から全開状態とし、給気送風経路６および排気送風経路７の実施工圧損を均一に保持した状態で、ＤＣモータ１０を回転数Ｎ２で駆動することにより給気送風経路６および排気送風経路７ともに所定の風量１００ｍ３／ｈを確保することができる。
【００４０】
Ｎ１＝Ｎ２の場合、既に給気送風経路６および排気送風経路７の実施工ダクト長が同等、つまりは圧損が均一となっているので、給気ダンパ１２および排気ダンパ１３をともに全開状態とし、ＤＣモータ１０を回転数Ｎ１で駆動することにより給気送風経路６および排気送風経路７ともに所定の風量１００ｍ３／ｈを確保することができる。
【００４１】
以上のように、本発明の実施の形態１においては、設置現場毎において給排気送風経路のダクト圧損差が生じた場合においても、排気ダンパを全閉にしている場合は給気ダンパを全開にして排気送風経路の圧損の影響を受けない状態を作り出し、純粋な給気送風経路の実施工圧損のみをＤＣモータの電流と回転数の関係から算出することができる。また逆の場合においても、給気ダンパを全閉にしている場合は排気ダンパを全開にして、給気送風経路の圧損の影響を受けない状態を作り出し、純粋な排気送付経路の実施工圧損のみをＤＣモータの電流と回転数の関係から算出し、圧損の低い方のダンパ角度を調整することによって、双方の圧損差を無くすことができるようにしたので、一つの回転数でＤＣモータを駆動させても、給排風量双方の必要風量も確保すると同時に、給排風量のバランスを精度よく均一に保つことができる。
【００４２】
また、湿度センサーの信号を識別して室内の湿度が高くならないように給排気運転から強制排気運転へ切り替えることを決定して、給気ダンパを全閉状態、排気ダンパを全開とするとともに、排気送風経路回転数検出手段とで検出した回転数よりも高い回転数を目標回転数とし、屋外の空気を給気送風経路から給気することなく室内の空気を前記排気送風経路から屋外へ排出することとなり、屋外の湿度の高い空気の給気を停止して、室内の空気を屋外へ排出することができるので、屋外からの給気による室内湿度の上昇を防ぐことができる。
【００４３】
また、給気送風経路回転数検出手段と排気送風経路回転数検出手段とで検出した回転数結果のうち、高い方の回転数を検出した送風経路に接続されたダンパを全開状態とするようにしたので、実施工圧損の低い方のダンパのみ開口面積を調整することで、ダンパを閉じることによって生じるＤＣモータのエネルギーロスを極力低減することができる。
【００４４】
また、電源投入時にのみ上記フローを実行するので、通常使用時においてはダンパを全閉状態にする必要はなく、ダンパ全閉時に発生する騒音による違和感を使用者に与えなくすることができる。
【００４５】
（実施の形態２）
本発明の実施の形態２の給排気型換気装置の構成について、図６（ａ）、（ｂ）を参照しながら構成について説明する。なお、実施の形態１と同一機能を有するものは、同一符号を付して詳細な説明は省略する。
【００４６】
設定湿度を他段階に設定できる湿度設定手段２７をＣＰＵ２１へ接続し構成する。ここで図６（ｂ）のように湿度設定手段２７の一例として、感度の高低が設定できるようにしているがこれに限定するものではなく、例えば具体的に３０〜９０％などと記載して構成することもできる。
【００４７】
以上のように、本発明の実施の形態２においては、使用者が湿度設定を他段階に切り替え変更できる構成としたので、季節や間取り、使用者の好みに合わせた湿度設定を任意に選択できる。
【産業上の利用可能性】
【００４８】
本発明にかかる空気調和機は、室内の湿度の状況によって、所定の風量を確保しながら給排風量のバランスをも保つ給排気運転と、強制排気運転とを自動で切り替えるものであり、一般住宅などに用いられる給排気型の空気調和機に有用である。
【符号の説明】
【００４９】
１    本体
２    外気吸込口
３    室内空気排気口
４    室内空気吸込口
５    外気給気口
６    給気送風経路
７    排気送風経路
１０  ＤＣモータ
１１  熱交換素子
１２  給気ダンパ
１３  排気ダンパ
１４  湿度センサー
２０  制御手段
２３  ＤＣモータ駆動部
２４  給気送風経路回転数検出手段
２５  排気送風経路回転数検出手段
２６  運転決定手段
２７  湿度設定手段
【図１】
2014059096.tif 000003
【図２】
2014059096.tif 000004
【図３】
2014059096.tif 000005
【図４】
2014059096.tif 000006
【図５】
2014059096.tif 000007
【図６】
2014059096.tif 000008
【図７】
2014059096.tif 000009